(57)【要約】【課題】調光制御や調色制御を行う際にユーザが違和感を覚えてしまうのを防止しつつ、これら調光制御や調色制御が複雑化してしまうのを防止すること。【解決手段】照明装置１は、調光制御または調色制御のうち少なくともいずれかを行う制御装置１０を備える。この制御装置１０は、発光ダイオードＬＥＤ１、ＬＥＤ２のそれぞれに供給する電流に関する情報が、照明装置１の光量および色温度に応じて予め定められたテーブルを備える。また、制御装置１０は、照明装置１の光量と色温度との組み合わせを制御開始時から目標まで変化させる際に、制御開始時と目標との間で途中目標を１つ以上設定し、途中目標および目標のそれぞれにおいて、テーブルを参照して発光ダイオードＬＥＤ１、ＬＥＤ２のそれぞれに供給する電流を制御して、照明装置１の光量と色温度との組み合わせを、制御開始時、途中目標、目標の順番に変化させる。【選択図】図１
2014022311.tif 000002
【特許請求の範囲】
【請求項１】
互いに色温度の異なる光源を複数有する照明装置であって、
前記複数の光源のそれぞれに供給する電流を制御して、調光制御または調色制御のうち少なくともいずれかを行う制御手段を備え、
前記制御手段は、
各光源に供給する電流に関する情報が、前記照明装置の光量と、当該照明装置の色温度と、に応じて予め定められたテーブルを備え、
前記照明装置の光量または色温度の少なくともいずれかを変化させて、当該照明装置の光量と色温度との組み合わせを制御開始時から目標まで変化させる際に、当該制御開始時と当該目標との間で途中目標を１つ以上設定し、
前記途中目標および前記目標のそれぞれにおいて、前記テーブルを参照して各光源に供給する電流を制御して、前記照明装置の光量と色温度との組み合わせを、前記制御開始時、当該途中目標、当該目標の順番に変化させることを特徴とする照明装置。
【請求項２】
前記制御手段は、前記照明装置の光量と色温度との組み合わせのうち、前記テーブルに前記情報の定められているものを、前記途中目標として設定することを特徴とする請求項１に記載の照明装置。
【請求項３】
前記テーブルには、各光源に供給する電流に関する情報として、前記照明装置の光量の変化を予め定められた所定の幅に保ちつつ、予め定められた第１の間隔で当該照明装置の色温度を変化させる場合の情報が、予め定められていることを特徴とする請求項１または２に記載の照明装置。
【請求項４】
前記テーブルには、各光源に供給する電流に関する情報として、前記第１の間隔で前記照明装置の色温度を変化させる場合の情報に加えて、当該照明装置の光量の変化を前記所定の幅に保ちつつ、当該第１の間隔よりも狭い第１の特定間隔で当該照明装置の色温度を変化させる場合の情報が、予め定められていることを特徴とする請求項３に記載の照明装置。
【請求項５】
前記テーブルには、各光源に供給する電流に関する情報として、前記照明装置の色温度の変化を予め定められた特定の幅に保ちつつ、予め定められた第２の間隔で当該照明装置の光量を変化させる場合の情報が、予め定められていることを特徴とする請求項１から４のいずれかに記載の照明装置。
【請求項６】
前記テーブルには、各光源に供給する電流に関する情報として、前記第２の間隔で前記照明装置の光量を変化させる場合の情報に加えて、当該照明装置の色温度の変化を前記特定の幅に保ちつつ、当該第２の間隔よりも狭い第２の特定間隔で当該照明装置の光量を変化させる場合の情報が、予め定められていることを特徴とする請求項５に記載の照明装置。
【請求項７】
前記テーブルには、各光源に供給する電流に関する情報として、予め定められた第３の間隔で前記照明装置の光量を変化させつつ、予め定められた第４の間隔で当該照明装置の色温度を変化させる場合の情報が、予め定められていることを特徴とする請求項１から６のいずれかに記載の照明装置。
【請求項８】
前記制御手段は、リニア調光とＰＷＭ調光とを組み合わせて、各光源に供給する電流を制御することを特徴とする請求項１から７のいずれかに記載の照明装置。
【発明の詳細な説明】
【技術分野】
【０００１】
本発明は、照明装置に関する。
【背景技術】
【０００２】
従来、互いに色温度の異なる光源を複数有する照明装置が提案されている（例えば、特許文献１、２参照）。このような照明装置は、各光源に供給する電流を制御することにより、調光制御や調色制御を行う。
【先行技術文献】
【特許文献】
【０００３】
【特許文献１】特開２０１１−２５８５１５号公報
【特許文献２】特開２０１１−２５８５１７号公報
【発明の概要】
【発明が解決しようとする課題】
【０００４】
照明装置は、調光制御や調色制御を行う際に、ユーザの目を保護するために、各光源の光量を徐々に変化させる。しかしながら、照明装置から出力される光の色温度は変化させることなく調光制御を行いたいにもかかわらず、途中で色温度が変化してしまったり、照明装置から出力される光の光量は変化させることなく調色制御を行いたいにもかかわらず、途中で光量が変化してしまったり、制御が複雑化してしまったりする場合があった。
【０００５】
例えば、照明装置の光量を、最大光量から最小光量に変化させる場合、以下の２つの方法が考えられる。
【０００６】
第１の方法は、光源Ａ、Ｂのうち一方の光量を、最小光量になるまで徐々に低下させた後に、光源Ａ、Ｂのうち他方の光量を、最小光量になるまで徐々に低下させるというものである。この方法では、光源Ａ、Ｂのうち他方の光量は変化することなく、光源Ａ、Ｂのうち一方の光量が最小光量まで低下することになる。このため、光源Ａと光源Ｂとの光量の差に大きな変化が生じてしまうため、照明装置の色温度が大きく変化してしまい、ユーザが違和感を覚えてしまうおそれがあった。
【０００７】
第２の方法は、光源Ａの光量と、光源Ｂの光量と、を最小光量になるまで所定値ずつ交互に低下させていくというものである。この方法では、上述の第１の方法と比べて、光源Ａと光源Ｂとの光量の差の変化を小さくすることができるため、照明装置の色温度の変化を抑制できる。
【０００８】
しかしながら、第２の方法において、光源Ａ、Ｂのうち一方の光量が、光源Ａ、Ｂのうち他方の光量よりも先に、最小光量に達してしまうと、その後、光源Ａ、Ｂのうち他方の光量のみが連続して変化することになる。このため、第２の方法においても、光源Ａと光源Ｂとの光量の差に変化が生じてしまうため、照明装置の色温度が変化してしまい、ユーザが違和感を覚えてしまうおそれがあった。
【０００９】
そこで、第２の方法において、光源Ａの光量と、光源Ｂの光量と、を交互に低下させていく値を、それぞれ、光源Ａの光量と光源Ｂの光量との比率に応じて設定することが考えられる。しかしながら、この場合、調光制御や調色制御が複雑化してしまう。
【００１０】
上述の課題を鑑み、本発明は、調光制御や調色制御を行う際にユーザが違和感を覚えてしまうのを防止しつつ、これら調光制御や調色制御が複雑化してしまうのを防止できる照明装置を提供することを目的とする。
【課題を解決するための手段】
【００１１】
本発明は、上述の課題を解決するために、以下の事項を提案している。
（１）  本発明は、互いに色温度の異なる光源（例えば、図１の発光ダイオードＬＥＤ１、ＬＥＤ２に相当）を複数有する照明装置（例えば、図１の照明装置１に相当）であって、前記複数の光源のそれぞれに供給する電流を制御して、調光制御または調色制御のうち少なくともいずれかを行う制御手段（例えば、図１の制御装置１０に相当）を備え、前記制御手段は、各光源に供給する電流に関する情報が、前記照明装置の光量と、当該照明装置の色温度と、に応じて予め定められたテーブルを備え、前記照明装置の光量または色温度の少なくともいずれかを変化させて、当該照明装置の光量と色温度との組み合わせを制御開始時から目標まで変化させる際に、当該制御開始時と当該目標との間で途中目標を１つ以上設定し、前記途中目標および前記目標のそれぞれにおいて、前記テーブルを参照して各光源に供給する電流を制御して、前記照明装置の光量と色温度との組み合わせを、前記制御開始時、当該途中目標、当該目標の順番に変化させることを特徴とする照明装置を提案している。
【００１２】
この発明によれば、複数の光源を制御する制御手段にテーブルを設け、このテーブルに、各光源に供給する電流に関する情報を、照明装置の光量および色温度に応じて予め定めることとした。そして、制御手段により、照明装置の光量または色温度の少なくともいずれかを変化させて、照明装置の光量と色温度との組み合わせを制御開始時から目標まで変化させる際に、制御開始時と目標との間で途中目標を１つ以上設定することとした。また、制御手段により、途中目標および目標のそれぞれにおいて、テーブルを参照して各光源に供給する電流を制御して、照明装置の光量と色温度との組み合わせを、制御開始時、途中目標、目標の順番に変化させることとした。
【００１３】
このため、照明装置の光量または色温度の少なくともいずれかを変化させていく場合にユーザが違和感を覚えない範囲で、途中目標を設定することで、制御開始時、途中目標、目標の順番に段階的に各光源に供給する電流を制御していく際に、各光源の光量の差に変化が生じるのを抑制できる。したがって、調光制御や調色制御を行う際にユーザが違和感を覚えてしまうのを防止できる。また、テーブルに応じて各光源に供給する電流を制御することになるため、調光制御や調色制御が複雑化してしまうのを防止できる。
【００１４】
（２）  本発明は、（１）の照明装置について、前記制御手段は、前記照明装置の光量と色温度との組み合わせのうち、前記テーブルに前記情報の定められているものを、前記途中目標として設定することを特徴とする照明装置を提案している。
【００１５】
この発明によれば、（１）の照明装置において、制御手段により、照明装置の光量と色温度との組み合わせのうち、テーブルに情報の定められているものを、途中目標として設定することとした。このため、テーブルを参照して各光源に供給する電流を制御して、照明装置の光量と色温度との組み合わせを、途中目標に正確に変化させることができる。したがって、調光制御や調色制御を行う際にユーザが違和感を覚えてしまうのを、さらに防止できる。
【００１６】
（３）  本発明は（１）または（２）の照明装置について、前記テーブルには、各光源に供給する電流に関する情報として、前記照明装置の光量の変化を予め定められた所定の幅に保ちつつ、予め定められた第１の間隔で当該照明装置の色温度を変化させる場合の情報が、予め定められていることを特徴とする照明装置を提案している。
【００１７】
この発明によれば、（１）または（２）の照明装置において、テーブルに、各光源に供給する電流に関する情報として、照明装置の変化を予め定められた所定の幅に保ちつつ、予め定められた第１の間隔で照明装置の色温度を変化させる場合の情報を予め定めることとした。このため、ユーザが違和感を覚えてしまうのを防止しつつ、照明装置の光量の変化を所定の幅に保ち、かつ、照明装置の色温度を変化させることができる。
【００１８】
（４）  本発明は、（３）の照明装置について、前記テーブルには、各光源に供給する電流に関する情報として、前記第１の間隔で前記照明装置の色温度を変化させる場合の情報に加えて、当該照明装置の光量の変化を前記所定の幅に保ちつつ、当該第１の間隔よりも狭い第１の特定間隔で当該照明装置の色温度を変化させる場合の情報が、予め定められていることを特徴とする照明装置を提案している。
【００１９】
この発明によれば、（３）の照明装置において、テーブルに、各光源に供給する電流に関する情報として、第１の間隔で照明装置の色温度を変化させる場合の情報に加えて、照明装置の光量の変化を所定の幅に保ちつつ、第１の間隔よりも狭い第１の特定間隔で照明装置の色温度を変化させる場合の情報が、予め定められていることとした。このため、途中目標を追加することができる。したがって、各光源に供給する電流の段階的な制御を、より細かく行うことができるので、各光源の光量の差に変化が生じるのをさらに抑制でき、調色制御を行う際にユーザが違和感を覚えてしまうのを、より的確に防止できる。
【００２０】
（５）  本発明は（１）〜（４）のいずれかの照明装置について、前記テーブルには、各光源に供給する電流に関する情報として、前記照明装置の色温度の変化を予め定められた特定の幅に保ちつつ、予め定められた第２の間隔で当該照明装置の光量を変化させる場合の情報が、予め定められていることを特徴とする照明装置を提案している。
【００２１】
この発明によれば、（１）〜（４）のいずれかの照明装置において、テーブルに、各光源に供給する電流に関する情報として、照明装置の色温度の変化を予め定められた特定の幅に保ちつつ、予め定められた第２の間隔で照明装置の光量を変化させる場合の情報を予め定めることとした。このため、ユーザが違和感を覚えてしまうのを防止しつつ、照明装置の色温度の変化を予め定められた特定の幅に保ち、かつ、照明装置の光量を変化させることができる。
【００２２】
（６）  本発明は、（５）の照明装置について、前記テーブルには、各光源に供給する電流に関する情報として、前記第２の間隔で前記照明装置の光量を変化させる場合の情報に加えて、当該照明装置の色温度の変化を前記特定の幅に保ちつつ、当該第２の間隔よりも狭い第２の特定間隔で当該照明装置の光量を変化させる場合の情報が、予め定められていることを特徴とする照明装置を提案している。
【００２３】
この発明によれば、（５）の照明装置において、テーブルに、各光源に供給する電流に関する情報として、第２の間隔で照明装置の光量を変化させる場合の情報に加えて、照明装置の色温度の変化を特定の幅に保ちつつ、第２の間隔よりも狭い第２の特定間隔で照明装置の光量を変化させる場合の情報が、予め定められていることとした。このため、途中目標を追加することができる。したがって、各光源に供給する電流の段階的な制御を、より細かく行うことができるので、各光源の光量の差に変化が生じるのをさらに抑制でき、調光制御を行う際にユーザが違和感を覚えてしまうのを、より的確に防止できる。
【００２４】
（７）  本発明は（１）〜（６）のいずれかの照明装置について、前記テーブルには、各光源に供給する電流に関する情報として、予め定められた第３の間隔で前記照明装置の光量を変化させつつ、予め定められた第４の間隔で当該照明装置の色温度を変化させる場合の情報が、予め定められていることを特徴とする照明装置を提案している。
【００２５】
この発明によれば、（１）〜（６）のいずれかの照明装置において、テーブルに、各光源に供給する電流に関する情報として、予め定められた第３の間隔で照明装置の光量を変化させつつ、予め定められた第４の間隔で照明装置の色温度を変化させる場合の情報を予め定めることとした。このため、ユーザが違和感を覚えてしまうのを防止しつつ、照明装置の光量を変化させ、かつ、照明装置の色温度も変化させることができる。
【００２６】
（８）  本発明は、（１）〜（７）のいずれかの照明装置について、前記制御手段は、リニア調光とＰＷＭ調光とを組み合わせて、各光源に供給する電流を制御することを特徴とする照明装置を提案している。
【００２７】
この発明によれば、（１）〜（７）のいずれかの照明装置において、制御手段により、リニア調光とＰＷＭ調光とを組み合わせて、各光源に供給する電流を制御することとした。このため、各光源に供給する電流を幅広く制御することができるので、照明装置の調光制御および調色制御を、幅広く行うことができる。
【発明の効果】
【００２８】
本発明によれば、調光制御や調色制御を行う際にユーザが違和感を覚えてしまうのを防止しつつ、これら調光制御や調色制御が複雑化してしまうのを防止できる。
【図面の簡単な説明】
【００２９】
【図１】本発明の第１実施形態に係る照明装置の回路図である。
【図２】前記照明装置に設けられた制御装置が記憶するテーブルについて説明するための図である。
【図３】前記制御装置により調光制御を行う場合について説明するための図である。
【図４】前記制御装置により調光制御を行う場合について説明するための図である。
【図５】従来例に係る第１の方法のように調光制御を行った場合について検討するための図である。
【図６】従来例に係る第１の方法のように調光制御を行った場合について検討するための図である。
【図７】従来例に係る第１の方法のように調光制御を行った場合について検討するための図である。
【図８】従来例に係る第２の方法のように調光制御を行った場合について検討するための図である。
【図９】従来例に係る第２の方法のように調光制御を行った場合について検討するための図である。
【図１０】従来例に係る第２の方法のように調光制御を行った場合について検討するための図である。
【図１１】前記制御装置が記憶するテーブルについて説明するための図である。
【図１２】前記制御装置により調光制御および調色制御を行う場合について説明するための図である。
【図１３】前記制御装置により調光制御および調色制御を行う場合について説明するための図である。
【図１４】従来例に係る第２の方法のように調光制御および調色制御を行った場合について検討するための図である。
【図１５】従来例に係る第２の方法のように調光制御および調色制御を行った場合について検討するための図である。
【図１６】従来例に係る第２の方法のように調光制御および調色制御を行った場合について検討するための図である。
【図１７】変形例に係るテーブルについて説明するための図である。
【図１８】本発明の第２実施形態に係る照明装置に設けられた制御装置が記憶するテーブルについて説明するための図である。
【図１９】前記制御装置により調光制御を行う場合について説明するための図である。
【図２０】前記制御装置により調光制御を行う場合について説明するための図である。
【図２１】従来例に係る第１の方法のように調光制御を行った場合について検討するための図である。
【図２２】従来例に係る第１の方法のように調光制御を行った場合について検討するための図である。
【図２３】従来例に係る第１の方法のように調光制御を行った場合について検討するための図である。
【図２４】従来例に係る第２の方法のように調光制御を行った場合について検討するための図である。
【図２５】従来例に係る第２の方法のように調光制御を行った場合について検討するための図である。
【図２６】従来例に係る第２の方法のように調光制御を行った場合について検討するための図である。
【発明を実施するための形態】
【００３０】
以下、本発明の実施形態について図面を参照しながら説明する。なお、以下の実施形態における構成要素は適宜、既存の構成要素などとの置き換えが可能であり、また、他の既存の構成要素との組み合せを含む様々なバリエーションが可能である。したがって、以下の実施形態の記載をもって、特許請求の範囲に記載された発明の内容を限定するものではない。
【００３１】
＜第１実施形態＞
［照明装置１の構成］
図１は、本発明の第１実施形態に係る照明装置１の回路図である。照明装置１は、発光ダイオードＬＥＤ１、ＬＥＤ２と、定電流電源２１、２２と、制御装置１０と、を備える。
【００３２】
発光ダイオードＬＥＤ１と、発光ダイオードＬＥＤ２とは、互いに色温度の異なる光源である。本実施形態では、発光ダイオードＬＥＤ１は、６５００Ｋの色温度（白色）の光を出射し、発光ダイオードＬＥＤ２は、３０００Ｋの色温度（電球色）の光を出射するものとする。
【００３３】
定電流電源２１は、発光ダイオードＬＥＤ１と対に設けられ、直流源ＶＤＤの出力を用いて発光ダイオードＬＥＤ１に定電流を供給する。定電流電源２２は、発光ダイオードＬＥＤ２と対に設けられ、直流源ＶＤＤの出力を用いて発光ダイオードＬＥＤ２に定電流を供給する。
【００３４】
制御装置１０は、発光ダイオードＬＥＤ１に供給する電流と、発光ダイオードＬＥＤ２に供給する電流と、を制御して、調光制御または調色制御のうち少なくともいずれかを行う。
【００３５】
例えば、ユーザが、照明装置１の光量を設定する操作を、リモコンに対して行ったとする。すると、リモコンが、設定された光量に応じた信号を制御装置１０に送信する。制御装置１０は、受信した信号に基づいて、定電流電源２１を制御して、発光ダイオードＬＥＤ１に供給する電流を制御するとともに、定電流電源２２を制御して、発光ダイオードＬＥＤ２に供給する電流を制御する。これによれば、設定された光量を目標として、制御装置１０による調光制御が行われることになる。
【００３６】
また、ユーザが、照明装置１の色温度を設定する操作を、リモコンに対して行ったとする。すると、リモコンが、設定された色温度に応じた信号を制御装置１０に送信する。制御装置１０は、受信した信号に基づいて、定電流電源２１を制御して、発光ダイオードＬＥＤ１に供給する電流を制御するとともに、定電流電源２２を制御して、発光ダイオードＬＥＤ２に供給する電流を制御する。これによれば、設定された色温度を目標として、制御装置１０による調色制御が行われることになる。
【００３７】
（制御装置１０による調光制御）
本発明の第１実施形態に係る制御装置１０による調光制御について、図２〜４を用いて以下に説明する。ここでは、図２に示すように、照明装置１の色温度を、５０００Ｋで略一定としつつ、照明装置１の光量を、調光制御開始時の光量「６」から目標とする光量「１」に変化させるものとする。
【００３８】
制御装置１０は、まず、第１の途中目標、第２の途中目標、第３の途中目標、および第４の途中目標を設定する。これら第１の途中目標、第２の途中目標、第３の途中目標、および第４の途中目標には、照明装置１の光量と色温度との組み合わせのうち、後述のテーブルに発光ダイオードＬＥＤ１、ＬＥＤ２のそれぞれに供給する電流に関する情報が定められているものを設定する。具体的には、第１の途中目標は、照明装置１の色温度が５０００Ｋで、照明装置１の光量が「５」となる点である。第２の途中目標は、照明装置１の色温度が５０００Ｋで、照明装置１の光量が「４」となる点である。第３の途中目標は、照明装置１の色温度が５０００Ｋで、照明装置１の光量が「３」となる点である。第４の途中目標は、照明装置１の色温度が５０００Ｋで、照明装置１の光量が「２」となる点である。
【００３９】
制御装置１０は、テーブルを記憶している。このテーブルには、発光ダイオードＬＥＤ１、ＬＥＤ２のそれぞれに供給する電流に関する情報が、照明装置１の光量と、照明装置１の色温度と、に応じて予め定められている。具体的には、このテーブルには、発光ダイオードＬＥＤ１、ＬＥＤ２のそれぞれに供給する電流に関する情報として、図２のマトリクスの要素ごとに、定電流電源２１に送信する制御信号と、定電流電源２２に送信する制御信号と、が設定されている。図２のマトリクスの要素ごとにとは、照明装置１の色温度および光量が、例えばそれぞれ、３０００Ｋおよび「６」である場合、４０００Ｋおよび「５」である場合、５０００Ｋおよび「４」である場合、５７００Ｋおよび「３」である場合などのことである。また、定電流電源２１に送信する制御信号には、発光ダイオードＬＥＤ１に供給する電流値の情報が含まれ、定電流電源２２に送信する制御信号には、発光ダイオードＬＥＤ２に供給する電流値の情報が含まれる。
【００４０】
制御装置１０は、次に、上述のテーブルを参照して発光ダイオードＬＥＤ１、ＬＥＤ２のそれぞれに供給する電流を制御し、発光ダイオードＬＥＤ１の光量と、発光ダイオードＬＥＤ２の光量とを制御して、照明装置１の光量と色温度との組み合わせを、調光制御開始時、第１の途中目標、第２の途中目標、第３の途中目標、第４の途中目標、目標の順番に変化させる。
【００４１】
具体的には、まず、制御装置１０は、上述のテーブルを参照して、第１の途中目標において発光ダイオードＬＥＤ１に供給すべき電流値を求める。そして、定電流電源２１を制御して、求めた電流値の電流を発光ダイオードＬＥＤ１に供給させる。これによれば、発光ダイオードＬＥＤ１に供給される電流は、図３の（１）で示したように１段階小さくなる。
【００４２】
次に、制御装置１０は、上述のテーブルを参照して、第１の途中目標において発光ダイオードＬＥＤ２に供給すべき電流値を求める。そして、定電流電源２２を制御して、求めた電流値の電流を発光ダイオードＬＥＤ２に供給させる。これによれば、発光ダイオードＬＥＤ２に供給される電流は、図３の（２）で示したように１段階小さくなる。
【００４３】
以上の定電流電源２１、２２の制御により、図４に示すように、照明装置１の光量は、「６」から「５」に１段階低下する。一方、照明装置１の色温度は、予め定められた所定の幅ΔＣだけ変化する。ここで、この所定の幅ΔＣが大きくなると、照明装置１の色温度の変化により、上述のようにユーザが違和感を覚えてしまう。そして、この所定の幅ΔＣは、第１の途中目標が調光制御開始時から離れるに従って、大きくなる。このため、制御装置１０による上述の第１の途中目標の設定は、ユーザが違和感を覚えない範囲内に所定の幅ΔＣを抑えることができるように、行われる。
【００４４】
次に、制御装置１０は、上述のテーブルを参照して、第２の途中目標において発光ダイオードＬＥＤ１に供給すべき電流値を求める。そして、定電流電源２１を制御して、求めた電流値の電流を発光ダイオードＬＥＤ１に供給させる。これによれば、発光ダイオードＬＥＤ１に供給される電流は、図３の（３）で示したように１段階小さくなる。
【００４５】
次に、制御装置１０は、上述のテーブルを参照して、第２の途中目標において発光ダイオードＬＥＤ２に供給すべき電流値を求める。そして、定電流電源２２を制御して、求めた電流値の電流を発光ダイオードＬＥＤ２に供給させる。これによれば、発光ダイオードＬＥＤ２に供給される電流は、図３の（４）で示したように１段階小さくなる。
【００４６】
以上の定電流電源２１、２２の制御により、図４に示すように、照明装置１の光量は、「５」から「４」に１段階低下する。一方、照明装置１の色温度は、所定の幅ΔＣだけ変化する。なお、制御装置１０による上述の第２の途中目標の設定は、上述の第１の途中目標の設定と同様に、ユーザが違和感を覚えない範囲内に所定の幅ΔＣを抑えることができるように、行われる。
【００４７】
上述の第１の途中目標や第２の途中目標のように、第３の途中目標、第４の途中目標、および目標についても、定電流電源２１、２２を制御して、発光ダイオードＬＥＤ１、ＬＥＤ２のそれぞれに供給する電流を、交互に１段階ずつ小さくさせる。これによれば、照明装置１の光量は、１段階ずつ低下し、照明装置１の色温度は、所定の幅ΔＣだけ変化することになる。
【００４８】
（従来例に係る第１の方法による調光制御）
ここで、まず、制御装置１０による上述の調光制御の代わりに、上述の従来例に係る第１の方法のように調光制御を行った場合について、図５〜７を用いて以下に検討する。
【００４９】
従来例に係る第１の方法のように調光制御を行う場合、図５に示すように、発光ダイオードＬＥＤ１に供給する電流を、目標における値まで徐々に小さくした後に、図６に示すように、発光ダイオードＬＥＤ２に供給する電流を、目標における値まで徐々に小さくすることになる。これによれば、図７に示すように、発光ダイオードＬＥＤ１に供給する電流を小さくしていく期間では、照明装置１の色温度が低下して、電球色（３０００Ｋ）に近づいていく。そして、発光ダイオードＬＥＤ２に供給する電流を小さくしていく期間では、照明装置１の色温度が上昇して、目標とする昼白色（５０００Ｋ）に近づいていく。
【００５０】
以上より、上述の従来例に係る第１の方法のように調光制御を行った場合には、発光ダイオードＬＥＤ２の光量は変化することなく、発光ダイオードＬＥＤ１の光量が目標まで低下することになる。このため、発光ダイオードＬＥＤ１と発光ダイオードＬＥＤ２との光量の差に大きな変化が生じてしまうため、照明装置１の色温度が大きく変化してしまい、ユーザが違和感を覚えてしまう。
【００５１】
（従来例に係る第２の方法による調光制御）
次に、制御装置１０による上述の調光制御の代わりに、上述の従来例に係る第２の方法のように調光制御を行った場合について、図８〜１０を用いて以下に検討する。
【００５２】
従来例に係る第２の方法のように調光制御を行う場合、図８に示すように、発光ダイオードＬＥＤ１に供給する電流と、発光ダイオードＬＥＤ２に供給する電流と、を所定値ずつ交互に小さくしていくことになる。これによれば、上述の従来例に係る第１の方法のように調光制御を行う場合と比べて、発光ダイオードＬＥＤ１と発光ダイオードＬＥＤ２との光量の差の変化を小さくすることができるため、図１０に示すように、照明装置１の色温度の変化を抑制できる。
【００５３】
しかしながら、この場合でも、図８に示すように発光ダイオードＬＥＤ２に供給する電流が、発光ダイオードＬＥＤ１に供給する電流よりも先に、目標における値になると、その後、図９に示すように発光ダイオードＬＥＤ１に供給する電流のみが連続して小さくなることになる。これによれば、図１０に示すように、発光ダイオードＬＥＤ１に供給する電流と発光ダイオードＬＥＤ２に供給する電流とを交互に小さくしていく期間では、照明装置１の色温度が上昇して、白っぽい光になる。そして、発光ダイオードＬＥＤ１に供給する電流のみを連続して小さくしていく期間では、照明装置１の色温度が低下して、目標とする昼光色（５０００Ｋ）に近づいていく。
【００５４】
以上より、上述の従来例に係る第２の方法のように調光制御を行った場合には、発光ダイオードＬＥＤ１、ＬＥＤ２のうち、一方の光量が先に目標まで低下し、他方の光量のみが連続して低下してしまうおそれがある。この場合、発光ダイオードＬＥＤ１と発光ダイオードＬＥＤ２との光量の差に変化が生じてしまうため、照明装置１の色温度が変化してしまい、ユーザが違和感を覚えてしまう。
【００５５】
そこで、第２の方法において、発光ダイオードＬＥＤ１に供給する電流と、発光ダイオードＬＥＤ２に供給する電流と、を交互に小さくしていく値を、それぞれ、調光制御開始時と目標とにおける発光ダイオードＬＥＤ１の光量の差分と、調光制御開始時と目標とにおける発光ダイオードＬＥＤ２の光量の差分と、の比率に応じて設定することが考えられる。これによれば、発光ダイオードＬＥＤ１と発光ダイオードＬＥＤ２との光量の差に変化が生じてしまうのを抑制できるので、図１０に示すような照明装置１の色温度の変化を抑制できる。しかしながら、この場合、調光制御や調色制御が複雑化してしまう。
【００５６】
（制御装置１０による調光制御および調色制御）
本発明の第１実施形態に係る制御装置１０による調光制御および調色制御について、図１１〜１３を用いて以下に説明する。ここでは、図１１に示すように、照明装置１の色温度を、調光・調色制御開始時の５０００Ｋから目標とする３０００Ｋに変化させるとともに、照明装置１の光量を、調光・調色制御開始時の光量「６」から目標とする光量「１」に変化させるものとする。
【００５７】
制御装置１０は、まず、第１の途中目標、第２の途中目標、第３の途中目標、および第４の途中目標を設定する。第１の途中目標は、照明装置１の色温度が４０００Ｋで、照明装置１の光量が「５」となる点である。第２の途中目標は、照明装置１の色温度が３０００Ｋで、照明装置１の光量が「４」となる点である。第３の途中目標は、照明装置１の色温度が３０００Ｋで、照明装置１の光量が「３」となる点である。第４の途中目標は、照明装置１の色温度が３０００Ｋで、照明装置１の光量が「２」となる点である。
【００５８】
制御装置１０は、次に、上述のテーブルを参照して発光ダイオードＬＥＤ１、ＬＥＤ２のそれぞれに供給する電流を制御し、発光ダイオードＬＥＤ１の光量と、発光ダイオードＬＥＤ２の光量とを制御して、照明装置１の光量と色温度との組み合わせを、調光・調色制御開始時、第１の途中目標、第２の途中目標、第３の途中目標、第４の途中目標、目標の順番に変化させる。
【００５９】
具体的には、まず、制御装置１０は、上述のテーブルを参照して、第１の途中目標において発光ダイオードＬＥＤ１に供給すべき電流値を求める。そして、定電流電源２１を制御して、求めた電流値の電流を発光ダイオードＬＥＤ１に供給させる。これによれば、発光ダイオードＬＥＤ１に供給される電流は、図１２の（１）で示したように１段階小さくなる。
【００６０】
次に、制御装置１０は、上述のテーブルを参照して、第１の途中目標において発光ダイオードＬＥＤ２に供給すべき電流値を求める。そして、定電流電源２２を制御して、求めた電流値の電流を発光ダイオードＬＥＤ２に供給させる。これによれば、発光ダイオードＬＥＤ２に供給される電流は、図１２の（２）で示したように１段階小さくなる。
【００６１】
以上の定電流電源２１、２２の制御により、図１３に示すように、照明装置１の光量が「６」から「５」に１段階低下し、照明装置１の色温度が５０００Ｋから４０００Ｋに１段階低下する。なお、図１３における一点鎖線は、図１４〜１６を用いて後述する、上述の従来例に係る第２の方法のように調光制御および調色制御を行った場合における照明装置１から出力される光を示している。
【００６２】
次に、制御装置１０は、上述のテーブルを参照して、第２の途中目標において発光ダイオードＬＥＤ１に供給すべき電流値を求める。そして、定電流電源２１を制御して、求めた電流値の電流を発光ダイオードＬＥＤ１に供給させる。これによれば、発光ダイオードＬＥＤ１に供給される電流は、図１２の（３）で示したように１段階小さくなる。
【００６３】
次に、制御装置１０は、上述のテーブルを参照して、第２の途中目標において発光ダイオードＬＥＤ２に供給すべき電流値を求める。そして、定電流電源２２を制御して、求めた電流値の電流を発光ダイオードＬＥＤ２に供給させる。これによれば、発光ダイオードＬＥＤ２に供給される電流は、図１２の（４）で示したように１段階小さくなる。
【００６４】
以上の定電流電源２１、２２の制御により、図１３に示すように、照明装置１の光量が「５」から「４」に１段階低下し、照明装置１の色温度が４０００Ｋから３０００Ｋに１段階低下する。
【００６５】
次に、制御装置１０は、上述のテーブルを参照して、第３の途中目標において発光ダイオードＬＥＤ２に供給すべき電流値を求める。そして、定電流電源２２を制御して、求めた電流値の電流を発光ダイオードＬＥＤ２に供給させる。これによれば、発光ダイオードＬＥＤ２に供給される電流は、図１２の（５）で示したように１段階小さくなる。
【００６６】
以上の定電流電源２２の制御により、図１３に示すように、照明装置１の光量は、「４」から「３」に１段階低下する。一方、照明装置１の色温度は、３０００Ｋで略一定となる。
【００６７】
上述の第３の途中目標のように、第４の途中目標および目標についても、定電流電源２２を制御して、発光ダイオードＬＥＤ２に供給する電流を、１段階ずつ小さくしていく。これによれば、照明装置１の光量は、１段階ずつ低下し、照明装置１の色温度は、３０００Ｋで略一定となる。
【００６８】
（従来例に係る第２の方法による調光制御および調色制御）
ここで、制御装置１０による上述の調光制御および調色制御の代わりに、上述の従来例に係る第２の方法のように調光制御および調色制御を行った場合について、図１４〜１６を用いて以下に検討する。
【００６９】
従来例に係る第２の方法のように調光制御および調色制御を行う場合、図１４に示すように、発光ダイオードＬＥＤ１に供給する電流と、発光ダイオードＬＥＤ２に供給する電流と、を所定値ずつ交互に小さくしていくことになる。しかしながら、図１４に示すように発光ダイオードＬＥＤ２に供給する電流が、発光ダイオードＬＥＤ１に供給する電流よりも先に、目標における値になると、その後、図１５に示すように発光ダイオードＬＥＤ１に供給する電流のみが連続して小さくなることになる。これによれば、図１６に示すように、発光ダイオードＬＥＤ１に供給する電流と発光ダイオードＬＥＤ２に供給する電流とを交互に小さくしていく期間では、照明装置１の色温度が上昇して、白っぽい光になる。そして、発光ダイオードＬＥＤ１に供給する電流のみを連続して小さくしていく期間では、照明装置１の色温度が低下して、目標とする電球色（３０００Ｋ）に近づいていく。なお、図１６における二点鎖線は、図１１〜１３を用いて上述した制御装置１０による調光制御および調色制御を行った場合における照明装置１から出力される光を示している。
【００７０】
以上より、上述の従来例に係る第２の方法のように調光制御および調色制御を行った場合には、発光ダイオードＬＥＤ１、ＬＥＤ２のうち、一方の光量が先に目標まで低下し、他方の光量のみが連続して低下してしまうおそれがある。この場合、発光ダイオードＬＥＤ１と発光ダイオードＬＥＤ２との光量の差に変化が生じてしまうため、照明装置１の色温度が変化してしまい、ユーザが違和感を覚えてしまう。
【００７１】
そこで、第２の方法において、発光ダイオードＬＥＤ１に供給する電流と、発光ダイオードＬＥＤ２に供給する電流と、を交互に小さくしていく値を、それぞれ、調光・調色制御開始時と目標とにおける発光ダイオードＬＥＤ１の光量の差分と、調光・調色制御開始時と目標とにおける発光ダイオードＬＥＤ２の光量の差分と、の比率に応じて設定することが考えられる。これによれば、発光ダイオードＬＥＤ１と発光ダイオードＬＥＤ２との光量の差に変化が生じてしまうのを抑制できるので、図１６に示すような照明装置１の色温度の変化を抑制できる。しかしながら、この場合、調光制御や調色制御が複雑化してしまう。
【００７２】
以上の照明装置１によれば、以下の効果を奏することができる。
【００７３】
照明装置１は、光量または色温度の少なくともいずれかを変化させていく場合にユーザが違和感を覚えない範囲で、制御開始時と目標との間で途中目標を１つ以上設定する。そして、制御開始時、途中目標、目標の順番に段階的に、発光ダイオードＬＥＤ１、ＬＥＤ２のそれぞれに供給する電流を制御して、照明装置１の光量と色温度との組み合わせを変化させていく。このため、発光ダイオードＬＥＤ１の光量と、発光ダイオードＬＥＤ２の光量と、の差に変化が生じてしまうのを抑制できるので、調光制御や調色制御を行う際にユーザが違和感を覚えてしまうのを防止できる。
【００７４】
また、照明装置１は、テーブルを保持しており、このテーブルには、発光ダイオードＬＥＤ１、ＬＥＤ２のそれぞれに供給する電流に関する情報が、照明装置１の光量と、照明装置１の色温度と、に応じて予め定められている。そして、制御開始時、途中目標、目標の順番に段階的に発光ダイオードＬＥＤ１、ＬＥＤ２のそれぞれに供給する電流を制御していく際に、テーブルを参照して、発光ダイオードＬＥＤ１、ＬＥＤ２のそれぞれに供給する電流を求める。このため、調光制御や調色制御が複雑化してしまうのを防止できる。
【００７５】
また、照明装置１は、照明装置１の光量と色温度との組み合わせのうち、テーブルに発光ダイオードＬＥＤ１、ＬＥＤ２のそれぞれに供給する電流に関する情報が定められているものを、第１の途中目標、第２の途中目標、第３の途中目標、および第４の途中目標として設定する。このため、テーブルを参照して発光ダイオードＬＥＤ１、ＬＥＤ２のそれぞれに供給する電流を制御して、照明装置１の光量と色温度との組み合わせを、途中目標に正確に変化させることができる。したがって、調光制御や調色制御を行う際にユーザが違和感を覚えてしまうのを、さらに防止できる。
【００７６】
＜第２実施形態＞
［照明装置１Ａの構成］
本発明の第２実施形態に係る照明装置１Ａについて、以下に説明する。照明装置１Ａは、図１に示した本発明の第１実施形態に係る照明装置１とは、制御装置１０の代わりに制御装置１０Ａを備える点が異なる。なお、照明装置１Ａにおいて、照明装置１と同一構成要件については、同一符号を付し、その説明を省略する。
【００７７】
制御装置１０Ａは、制御装置１０と同様に、発光ダイオードＬＥＤ１に供給する電流と、発光ダイオードＬＥＤ２に供給する電流と、を制御して、調光制御または調色制御のうち少なくともいずれかを行う。ただし、制御装置１０Ａは、調光制御や調色制御を行うに際して、リニア調光とＰＷＭ調光とを組み合わせて行う。
【００７８】
リニア調光では、制御装置１０Ａは、発光ダイオードＬＥＤ１に供給する電流の設定値と、発光ダイオードＬＥＤ２に供給する電流の設定値と、を制御することにより、発光ダイオードＬＥＤ１、ＬＥＤ２のそれぞれに供給する電流を制御する。
【００７９】
一方、ＰＷＭ調光では、制御装置１０Ａは、定電流電源２１に設けられたスイッチ素子と、定電流電源２２に設けられたスイッチ素子と、のオンデューティを制御することにより、発光ダイオードＬＥＤ１、ＬＥＤ２のそれぞれに供給する電流を制御する。定電流電源２１に設けられたスイッチ素子がオン状態になると、リニア調光で設定した電流が発光ダイオードＬＥＤ１に供給される。また、定電流電源２２に設けられたスイッチ素子がオン状態になると、リニア調光で設定した電流が発光ダイオードＬＥＤ２に供給される。
【００８０】
例えば、ユーザが、照明装置１Ａの光量を設定する操作を、リモコンに対して行ったとする。すると、リモコンが、設定された光量に応じた信号を制御装置１０Ａに送信する。制御装置１０Ａは、受信した信号に基づいて、発光ダイオードＬＥＤ１に供給する電流の設定値と、定電流電源２１に設けられたスイッチ素子のオンデューティと、を設定し、設定結果に応じて定電流電源２１を制御する。また、制御装置１０Ａは、受信した信号に基づいて、発光ダイオードＬＥＤ２に供給する電流の設定値と、定電流電源２２に設けられたスイッチ素子のオンデューティと、を設定し、設定結果に応じて定電流電源２２を制御する。これによれば、設定された光量を目標として、制御装置１０Ａによる調光制御が行われることになる。
【００８１】
また、ユーザが、照明装置１Ａの色温度を設定する操作を、リモコンに対して行ったとする。すると、リモコンが、設定された色温度に応じた信号を制御装置１０Ａに送信する。制御装置１０Ａは、受信した信号に基づいて、発光ダイオードＬＥＤ１に供給する電流の設定値と、定電流電源２１に設けられたスイッチ素子のオンデューティと、を設定し、設定結果に応じて定電流電源２１を制御する。また、制御装置１０Ａは、受信した信号に基づいて、発光ダイオードＬＥＤ２に供給する電流の設定値と、定電流電源２２に設けられたスイッチ素子のオンデューティと、を設定し、設定結果に応じて定電流電源２２を制御する。これによれば、設定された色温度を目標として、制御装置１０Ａによる調色制御が行われることになる。
【００８２】
（制御装置１０Ａによる調光制御）
本発明の第２実施形態に係る制御装置１０Ａによる調光制御について、図１８〜２０を用いて以下に説明する。ここでは、図１８に示すように、照明装置１Ａの色温度を、５０００Ｋで略一定としつつ、照明装置１Ａの光量を、調光制御開始時の光量「６」から目標とする光量「１」に変化させるものとする。
【００８３】
なお、図１８では、発光ダイオードＬＥＤ１、ＬＥＤ２のそれぞれに対して、リニア調光およびＰＷＭ調光のそれぞれについてパーセント表示がなされている。例えば、調光制御開始時において、発光ダイオードＬＥＤ１に対するリニア調光が１００％である。この場合、発光ダイオードＬＥＤ１に供給する電流の設定値が取り得る最大値の電流を、発光ダイオードＬＥＤ１に流すことになる。また、例えば目標において、発光ダイオードＬＥＤ２に対するＰＷＭ調光が３３％である。この場合、定電流電源２２に設けられたスイッチ素子のオンデューティを３３％にすることになる。
【００８４】
制御装置１０Ａは、まず、第１の途中目標、第２の途中目標、第３の途中目標、および第４の途中目標を設定する。これら第１の途中目標、第２の途中目標、第３の途中目標、および第４の途中目標には、照明装置１Ａの光量と色温度との組み合わせのうち、後述のテーブルに発光ダイオードＬＥＤ１、ＬＥＤ２のそれぞれに供給する電流に関する情報が定められているものを設定する。具体的には、第１の途中目標は、照明装置１Ａの色温度が５０００Ｋで、照明装置１Ａの光量が「５」となる点である。第２の途中目標は、照明装置１Ａの色温度が５０００Ｋで、照明装置１Ａの光量が「４」となる点である。第３の途中目標は、照明装置１Ａの色温度が５０００Ｋで、照明装置１Ａの光量が「３」となる点である。第４の途中目標は、照明装置１Ａの色温度が５０００Ｋで、照明装置１Ａの光量が「２」となる点である。
【００８５】
制御装置１０Ａは、テーブルを記憶している。このテーブルには、発光ダイオードＬＥＤ１、ＬＥＤ２のそれぞれに供給する電流に関する情報が、照明装置１Ａの光量と、照明装置１Ａの色温度と、に応じて予め定められている。具体的には、このテーブルには、発光ダイオードＬＥＤ１、ＬＥＤ２のそれぞれに供給する電流に関する情報として、図１８のマトリクスの要素ごとに、定電流電源２１に送信する制御信号と、定電流電源２２に送信する制御信号と、が設定されている。定電流電源２１に送信する制御信号には、発光ダイオードＬＥＤ１に供給する電流の設定値と、定電流電源２１に設けられたスイッチ素子のオンデューティと、の情報が含まれる。また、定電流電源２２に送信する制御信号には、発光ダイオードＬＥＤ２に供給する電流の設定値と、定電流電源２２に設けられたスイッチ素子のオンデューティと、の情報が含まれる。
【００８６】
制御装置１０Ａは、次に、上述のテーブルを参照して発光ダイオードＬＥＤ１、ＬＥＤ２のそれぞれに供給する電流を制御し、発光ダイオードＬＥＤ１の光量と、発光ダイオードＬＥＤ２の光量とを制御して、照明装置１Ａの光量と色温度との組み合わせを、調光制御開始時、第１の途中目標、第２の途中目標、第３の途中目標、第４の途中目標、目標の順番に変化させる。
【００８７】
具体的には、まず、制御装置１０Ａは、上述のテーブルを参照して、第１の途中目標における、発光ダイオードＬＥＤ１に供給する電流の設定値と、定電流電源２１に設けられたスイッチ素子のオンデューティと、を求める。そして、発光ダイオードＬＥＤ１に対して、求めた設定値に基づいてリニア調光を行うとともに、求めたオンデューティに基づいてＰＷＭ調光を行う。これによれば、発光ダイオードＬＥＤ１に供給される電流は、図１９の（１）で示したように１段階小さくなる。
【００８８】
次に、制御装置１０Ａは、上述のテーブルを参照して、第１の途中目標における、発光ダイオードＬＥＤ２に供給する電流の設定値と、定電流電源２２に設けられたスイッチ素子のオンデューティと、を求める。そして、発光ダイオードＬＥＤ２に対して、求めた設定値に基づいてリニア調光を行うとともに、求めたオンデューティに基づいてＰＷＭ調光を行う。これによれば、発光ダイオードＬＥＤ２に供給される電流は、図１９の（２）で示したように１段階小さくなる。
【００８９】
以上の定電流電源２１、２２の制御により、図２０に示すように、照明装置１Ａの光量は、「６」から「５」に１段階低下する。一方、照明装置１Ａの色温度は、予め定められた所定の幅ΔＣだけ変化する。ここで、この所定の幅ΔＣが大きくなると、照明装置１Ａの色温度の変化により、上述のようにユーザが違和感を覚えてしまう。そして、この所定の幅ΔＣは、第１の途中目標が調光制御開始時から離れるに従って、大きくなる。このため、制御装置１０Ａによる上述の第１の途中目標の設定は、ユーザが違和感を覚えない範囲内に所定の幅ΔＣを抑えることができるように、行われる。
【００９０】
次に、制御装置１０Ａは、上述のテーブルを参照して、第２の途中目標における、発光ダイオードＬＥＤ１に供給する電流の設定値と、定電流電源２１に設けられたスイッチ素子のオンデューティと、を求める。そして、発光ダイオードＬＥＤ１に対して、求めた設定値に基づいてリニア調光を行うとともに、求めたオンデューティに基づいてＰＷＭ調光を行う。これによれば、発光ダイオードＬＥＤ１に供給される電流は、図１９の（３）で示したように１段階小さくなる。
【００９１】
次に、制御装置１０Ａは、上述のテーブルを参照して、第２の途中目標における、発光ダイオードＬＥＤ１に供給する電流の設定値と、定電流電源２１に設けられたスイッチ素子のオンデューティと、を求める。そして、発光ダイオードＬＥＤ２に対して、求めた設定値に基づいてリニア調光を行うとともに、求めたオンデューティに基づいてＰＷＭ調光を行う。これによれば、発光ダイオードＬＥＤ２に供給される電流は、図１９の（４）で示したように１段階小さくなる。
【００９２】
以上の定電流電源２１、２２の制御により、図２０に示すように、照明装置１Ａの光量は、「５」から「４」に１段階低下する。一方、照明装置１Ａの色温度は、所定の幅ΔＣだけ変化する。なお、制御装置１０Ａによる上述の第２の途中目標の設定は、上述の第１の途中目標の設定と同様に、ユーザが違和感を覚えない範囲内に所定の幅ΔＣを抑えることができるように、行われる。
【００９３】
上述の第１の途中目標や第２の途中目標のように、第３の途中目標、第４の途中目標、および目標についても、定電流電源２１、２２を制御して、発光ダイオードＬＥＤ１、ＬＥＤ２のそれぞれに供給する電流を、交互に１段階ずつ小さくさせる。これによれば、照明装置１Ａの光量は、１段階ずつ低下し、照明装置１Ａの色温度は、所定の幅ΔＣだけ変化することになる。
【００９４】
なお、図１８において、調光制御開始時から、第１の途中目標、第２の途中目標、第３の途中目標の順番に、照明装置１Ａの光量と色温度との組み合わせを変化させる期間では、発光ダイオードＬＥＤ２に対するＰＷＭ調光の値を１００％のままとし、発光ダイオードＬＥＤ２に対するリニア調光の値を徐々に小さくしていく。すると、第３の途中目標から第４の途中目標までの間で、発光ダイオードＬＥＤ２に対するリニア調光の値が、目標における２０％に達する。そこで、以降において、第４の途中目標、目標の順番に、照明装置１Ａの光量と色温度との組み合わせを変化させる期間では、発光ダイオードＬＥＤ２に対するリニア調光の値を２０％のままとし、発光ダイオードＬＥＤ２に対するＰＷＭ調光の値を徐々に小さくしていく。
【００９５】
具体的には、図１９の（８ａ）に示すように、発光ダイオードＬＥＤ２に供給する電流の設定値を小さくしていく途中で、発光ダイオードＬＥＤ２に対するリニア調光の値が、目標における２０％に達したとする。すると、図１９の（８ｂ）に示すように、引き続き、定電流電源２２に設けられたスイッチ素子のオンデューティを小さくしていく。すなわち、第３の途中目標から第４の途中目標までの間で、発光ダイオードＬＥＤ２に対する制御をリニア調光からＰＷＭ調光に遷移させる。
【００９６】
なお、発光ダイオードＬＥＤ２に対する制御をリニア調光からＰＷＭ調光に遷移させるに際して、発光ダイオードＬＥＤ２に供給される電流の所定時間あたりの減少率を、リニア調光時とＰＷＭ調光時とで略同一にするものとする。これによれば、発光ダイオードＬＥＤ２に供給される電流の変化率を、リニア調光時とＰＷＭ調光時とで略等しくすることができる。このため、図２０に示すように、リニア調光からＰＷＭ調光に遷移させることによって照明装置１Ａの色温度の変化率が変わってしまうのを防止でき、その結果、上述のようにユーザが違和感を覚えてしまうのを防止できる。
【００９７】
また、図１８において、調光制御開始時から、第１の途中目標、第２の途中目標、第３の途中目標、第４の途中目標の順番に、照明装置１Ａの光量と色温度との組み合わせを変化させる期間では、発光ダイオードＬＥＤ１に対するＰＷＭ調光の値を１００％のままとし、発光ダイオードＬＥＤ１に対するリニア調光の値を徐々に小さくしていく。すると、第４の途中目標から目標までの間で、発光ダイオードＬＥＤ１に対するリニア調光の値が、目標における２０％に達する。そこで、以降において、目標まで照明装置１Ａの光量と色温度との組み合わせを変化させる期間では、発光ダイオードＬＥＤ１に対するリニア調光の値を２０％のままとし、発光ダイオードＬＥＤ１に対するＰＷＭ調光の値を徐々に小さくしていく。
【００９８】
なお、発光ダイオードＬＥＤ１に対する制御をリニア調光からＰＷＭ調光に遷移させるに際して、発光ダイオードＬＥＤ１に供給される電流の所定時間あたりの減少率を、リニア調光時とＰＷＭ調光時とで略同一にするものとする。これによれば、発光ダイオードＬＥＤ１に供給される電流の変化率を、リニア調光時とＰＷＭ調光時とで略等しくすることができる。このため、図２０に示すように、リニア調光からＰＷＭ調光に遷移させることによって照明装置１Ａの色温度の変化率が変わってしまうのを防止でき、その結果、上述のようにユーザが違和感を覚えてしまうのを防止できる。
【００９９】
（従来例に係る第１の方法による調光制御）
ここで、まず、制御装置１０Ａによる上述の調光制御の代わりに、上述の従来例に係る第１の方法のように調光制御を行った場合について、図２１〜２３を用いて以下に検討する。
【０１００】
従来例に係る第１の方法のように調光制御を行う場合、図２１に示すように、まず、発光ダイオードＬＥＤ１に対するリニア調光の値を、目標における２０％まで徐々に小さくした後に、発光ダイオードＬＥＤ２に対するリニア調光の値を、目標における２０％まで徐々に小さくすることになる。次に、図２２に示すように、発光ダイオードＬＥＤ１に対するＰＷＭ調光の値を、目標における５０％まで徐々に小さくした後に、発光ダイオードＬＥＤ２に対するＰＷＭ調光の値を、目標における３３％まで徐々に小さくすることになる。これによれば、図２３に示すように、発光ダイオードＬＥＤ１に対するリニア調光の値を２０％まで徐々に小さくしていく期間では、照明装置１Ａの色温度が低下して、電球色（３０００Ｋ）に近づいていく。そして、発光ダイオードＬＥＤ２に対するリニア調光の値を２０％まで徐々に小さくしていく期間では、照明装置１Ａの色温度が上昇して、目標とする昼白色（５０００Ｋ）に近づいていく。その後、発光ダイオードＬＥＤ１に対するＰＷＭ調光の値を５０％まで徐々に小さくしていく期間では、照明装置１Ａの色温度が低下して、電球色（３０００Ｋ）に近づいていく。そして、発光ダイオードＬＥＤ２に対するＰＷＭ調光の値を３３％まで徐々に小さくしていく期間では、照明装置１Ａの色温度が上昇して、目標とする昼白色（５０００Ｋ）に近づいていく。
【０１０１】
以上より、上述の従来例に係る第１の方法のように調光制御を行った場合には、発光ダイオードＬＥＤ２の光量は変化することなく、発光ダイオードＬＥＤ１の光量が大幅に低下することになる。このため、発光ダイオードＬＥＤ１と発光ダイオードＬＥＤ２との光量の差に大きな変化が生じてしまうため、照明装置１Ａの色温度が大きく変化してしまい、ユーザが違和感を覚えてしまう。
【０１０２】
（従来例に係る第２の方法による調光制御）
次に、制御装置１０Ａによる上述の調光制御の代わりに、上述の従来例に係る第２の方法のように調光制御を行った場合について、図２４〜２６を用いて以下に検討する。
【０１０３】
従来例に係る第２の方法のように調光制御を行う場合、図２４に示すように、まず、発光ダイオードＬＥＤ１に対するリニア調光の値と、発光ダイオードＬＥＤ２に対するリニア調光の値と、を目標における２０％まで、所定値ずつ交互に小さくしていくことになる。次に、図２５に示すように、発光ダイオードＬＥＤ１に対するＰＷＭ調光の値と、発光ダイオードＬＥＤ２に対するＰＷＭ調光の値と、をそれぞれ目標における５０％および３３％になるまで、所定値ずつ交互に小さくしていくことになる。これによれば、上述の従来例に係る第１の方法のように調光制御を行う場合と比べて、発光ダイオードＬＥＤ１と発光ダイオードＬＥＤ２との光量の差の変化を小さくすることができるため、図２６に示すように、照明装置１Ａの色温度の変化を抑制できる。
【０１０４】
しかしながら、この場合でも、図２４に示すように発光ダイオードＬＥＤ２に対するリニア調光の値が、発光ダイオードＬＥＤ１に対するリニア調光の値よりも先に、目標における２０％に達すると、その後、発光ダイオードＬＥＤ１に対するリニア調光の値のみが連続して小さくなり、その結果、発光ダイオードＬＥＤ１に供給する電流のみが連続して小さくなることになる。これによれば、図２６に示すように、発光ダイオードＬＥＤ１に対するリニア調光の値と、発光ダイオードＬＥＤ２に対するリニア調光の値と、を交互に小さくしていく期間では、照明装置１Ａの色温度が上昇して、白っぽい光になる。そして、発光ダイオードＬＥＤ１に対するリニア調光の値のみを連続して小さくしていく期間では、照明装置１Ａの色温度が低下して、電球色（３０００Ｋ）に近づいていく。
【０１０５】
また、図２５に示すように発光ダイオードＬＥＤ１に対するＰＷＭ調光の値が、発光ダイオードＬＥＤ２に対するＰＷＭ調光の値よりも先に、目標における値に達すると、その後、発光ダイオードＬＥＤ２に対するＰＷＭ調光の値のみが連続して小さくなり、その結果、発光ダイオードＬＥＤ２に供給する電流のみが連続して小さくなることになる。これによれば、図２６に示すように、発光ダイオードＬＥＤ１に対するＰＷＭ調光の値と、発光ダイオードＬＥＤ２に対するＰＷＭ調光の値と、を交互に小さくしていく期間では、照明装置１の色温度が上昇して、目標とする昼光色（５０００Ｋ）に近づいていく。そして、発光ダイオードＬＥＤ２に対するＰＷＭ調光の値のみを連続して小さくしていく期間では、照明装置１Ａの色温度がさらに急激に上昇して、電球色（３０００Ｋ）に近づいていく。
【０１０６】
以上より、上述の従来例に係る第２の方法のように調光制御を行った場合には、発光ダイオードＬＥＤ１、ＬＥＤ２のうち、一方のリニア調光の値やＰＷＭ調光の値が先に目標まで低下し、他方のリニア調光の値やＰＷＭ調光の値のみが連続して低下してしまうおそれがある。この場合、発光ダイオードＬＥＤ１と発光ダイオードＬＥＤ２との光量の差に変化が生じてしまうため、照明装置１Ａの色温度が変化してしまい、ユーザが違和感を覚えてしまう。
【０１０７】
そこで、第２の方法において、発光ダイオードＬＥＤ１に対するリニア調光の値と、発光ダイオードＬＥＤ２に対するリニア調光の値と、を交互に小さくしていく値を、それぞれ、調光制御開始時と目標とにおける発光ダイオードＬＥＤ１に対するリニア調光の値の差分と、調光制御開始時と目標とにおける発光ダイオードＬＥＤ２に対するリニア調光の値の差分と、の比率に応じて設定することが考えられる。また、発光ダイオードＬＥＤ１に対するＰＷＭ調光の値と、発光ダイオードＬＥＤ２に対するＰＷＭ調光の値と、を交互に小さくしていく値を、それぞれ、調光制御開始時と目標とにおける発光ダイオードＬＥＤ１に対するＰＷＭ調光の値の差分と、調光制御開始時と目標とにおける発光ダイオードＬＥＤ２に対するＰＷＭ調光の値の差分と、の比率に応じて設定することが考えられる。これらによれば、発光ダイオードＬＥＤ１と発光ダイオードＬＥＤ２との光量の差に変化が生じてしまうのを抑制できるので、図２６に示すような照明装置１Ａの色温度の変化を抑制できる。しかしながら、この場合、調光制御や調色制御が複雑化してしまう。
【０１０８】
以上の照明装置１Ａによれば、図１に示した本発明の第１実施形態に係る照明装置１が奏することのできる上述の効果に加えて、以下の効果を奏することができる。
【０１０９】
照明装置１Ａは、制御装置１０Ａにより、調光制御や調色制御を行うに際して、リニア調光とＰＷＭ調光とを組み合わせて行う。このため、発光ダイオードＬＥＤ１、ＬＥＤ２のそれぞれに供給する電流を幅広く制御することができるので、照明装置１Ａの調光制御および調色制御を、幅広く行うことができる。
【０１１０】
本発明は、上述の実施形態に限定されるものではなく、この発明の要旨を逸脱しない範囲内で様々な変形や応用が可能である。
【０１１１】
例えば、上述の実施形態では、発光ダイオードＬＥＤ１の色温度が６５００Ｋで、発光ダイオードＬＥＤ２の色温度が３０００Ｋであるものとしたが、これに限らない。
【０１１２】
また、上述の実施形態では、照明装置１、１Ａは、発光ダイオードＬＥＤ１、ＬＥＤ２の２種類の発光ダイオードを有するものとしたが、これに限らず、例えば３種類や５種類の発光ダイオードを有するものであってもよい。
【０１１３】
また、上述の実施形態では、光源として、発光ダイオードを適用したが、これに限らず、例えば有機ＥＬ（Ｅｌｅｃｔｒｏ  Ｌｕｍｉｎｅｓｃｅｎｃｅ）といった光源を適用してもよい。
【０１１４】
また、上述の実施形態では、照明装置１の光量や色温度を、調光制御開始時から第１の途中目標に変化させる際に、発光ダイオードＬＥＤ１に供給する電流の値を、第１の途中目標における値にした後に、発光ダイオードＬＥＤ２に供給する電流の値を、第１の途中目標における値にすることとした。しかしながら、これに限らず、例えば、発光ダイオードＬＥＤ１に供給する電流の値と、発光ダイオードＬＥＤ２に供給する電流の値と、を所定値ずつ交互に変化させていき、最終的に第１の途中目標における値にしてもよい。これによれば、照明装置１の光量や色温度を、調光制御開始時から第１の途中目標に変化させる際に、発光ダイオードＬＥＤ１の光量と、発光ダイオードＬＥＤ２の光量と、の差の変化をさらに小さくすることができるため、滑らかな調光特性や色温度特性を実現でき、ユーザが違和感を覚えてしまうのをより的確に防止できる。なお、上述の制御は、第１の途中目標から第２の途中目標や、第２の途中目標から第３の途中目標などにも適用できる。
【０１１５】
また、上述の実施形態では、制御装置１０に設けられたテーブルにおいて、色温度の系統は、３０００Ｋ、４０００Ｋ、５０００Ｋ、５７００Ｋ、および６５００Ｋの５系統であるものとしたが、これに限らず、例えば３系統や６系統であってもよい。また、例えば図１７に示す３５００Ｋのように、ダミーの色温度の系統を追加してもよい。ダミーの色温度の系統を追加することで、途中目標をさらに追加することができ、発光ダイオードＬＥＤ１、ＬＥＤ２のそれぞれに供給する電流の段階的な制御を、より細かく行うことができる。これによれば、発光ダイオードＬＥＤ１の光量と、発光ダイオードＬＥＤ２の光量と、の差に変化が生じてしまうのをさらに抑制できるので、調色制御を行う際にユーザが違和感を覚えてしまうのをより的確に防止できる。
【０１１６】
また、上述の実施形態では、制御装置１０に設けられたテーブルにおいて、光量の系統は、「６」、「５」、「４」、「３」、「２」、および「１」の６系統であるものとしたが、これに限らず、例えば３系統や７系統であってもよい。また、例えば図１７に示す光量「５．５」や「４．５」のように、ダミーの光量の系統を追加してもよい。ダミーの光量の系統を追加することで、途中目標をさらに追加することができ、発光ダイオードＬＥＤ１、ＬＥＤ２のそれぞれに供給する電流の段階的な制御を、より細かく行うことができる。これによれば、発光ダイオードＬＥＤ１の光量と、発光ダイオードＬＥＤ２の光量と、の差に変化が生じてしまうのをさらに抑制できるので、調光制御を行う際にユーザが違和感を覚えてしまうのをより的確に防止できる。
【０１１７】
また、上述の実施形態では、調光制御のみを行う場合と、調光制御および調色制御を行う場合と、について説明したが、これに限らず、調色制御のみを行うこともできる。
【０１１８】
また、上述の実施形態では、発光ダイオードＬＥＤ１に供給する電流と、発光ダイオードＬＥＤ２に供給する電流と、を制御する際に、交互に制御するものとしたが、これに限らず、例えば双方の制御を同時に行ってもよい。
【符号の説明】
【０１１９】
１、１Ａ；照明装置
１０、１０Ａ；制御装置
２１、２２；定電流電源
ＬＥＤ１、ＬＥＤ２；発光ダイオード
ＶＤＤ；直流源
【図１】
2014022311.tif 000003
【図２】
2014022311.tif 000004
【図３】
2014022311.tif 000005
【図４】
2014022311.tif 000006
【図５】
2014022311.tif 000007
【図６】
2014022311.tif 000008
【図７】
2014022311.tif 000009
【図８】
2014022311.tif 000010
【図９】
2014022311.tif 000011
【図１０】
2014022311.tif 000012
【図１１】
2014022311.tif 000013
【図１２】
2014022311.tif 000014
【図１３】
2014022311.tif 000015
【図１４】
2014022311.tif 000016
【図１５】
2014022311.tif 000017
【図１６】
2014022311.tif 000018
【図１７】
2014022311.tif 000019
【図１８】
2014022311.tif 000020
【図１９】
2014022311.tif 000021
【図２０】
2014022311.tif 000022
【図２１】
2014022311.tif 000023
【図２２】
2014022311.tif 000024
【図２３】
2014022311.tif 000025
【図２４】
2014022311.tif 000026
【図２５】
2014022311.tif 000027
【図２６】
2014022311.tif 000028